(57)【特許請求の範囲】
【請求項１】
対物レンズを駆動するアクチュエータが発光素子及び受光素子が組み込まれるハウジングに設置される構成の光学ヘッド装置において、対物レンズが装着されるレンズホルダーをレーザービームの光路となるハウジングの開口上に複数の連結部を介してハウジングに一体的に形成し、該レンズホルダーと別体に駆動コイルを巻回するコイルホルダーを設け、そのコイルホルダーをレンズホルダーに合体させてアクチュエータの可動部を組み立てそのアクチュエータの可動部が弾性支持部材を介して前記ハウジングに支持された状態で前記複数の連結部を切断して前記レンズホルダーをハウジングから切り離して前記アクチュエータの可動部を前記ハウジングに弾性的に支持する構成の光学ヘッド装置。
【発明の詳細な説明】
【０００１】
【発明の属する技術分野】
本発明は、ハウジングにアクチュエータを設置する構成の光学ヘッド装置に関し、特に、アクチュエータの可動部のスキュー調整を不要可能にした光学ヘッド装置に関する。
【０００２】
【従来の技術】
ディスク等の信号記録媒体に対して光学的に信号の読み取り、あるいは書き込みを行う光学ヘッド装置は、通常、発光素子である半導体レーザー及び受光素子である光検出器が組み込まれるハウジングに、対物レンズを駆動させるアクチュエータを設置して構成される。前記ハウジングは、半導体レーザーから出射されるレーザービームを対物レンズに導く光学系及び信号記録媒体により反射されて対物レンズに戻されるレーザービームを光検出器に導く光学系が形成されている。
【０００３】
アクチュエータをハウジングに設置して構成される光学ヘッド装置においては、対象とする信号記録媒体がディスクの場合、ディスク上の光スポットのコマ収差の発生が抑制されるようにアクチュエータをディスクのタンジェンシャル方向及びラジアル方向にスキュー調整していた。
【０００４】
このような光学ヘッド装置においては、例えば、特開２０００−４８３７４号公報に示される如く、ハウジングに対してアクチュエータがディスクのタンジェンシャル方向及びラジアル方向にスキュー調整可能に取り付けられるようにし、前記スキュー調整が行えるようになっている。
【０００５】
【発明が解決しようとする課題】
しかしながら、前述するスキュー調整は、専用の組立治具を用いた製造工程や煩雑な検査工程を必要とし、光学ヘッド装置生産の作業性及びコスト削減の障害となっている。
【０００６】
また、スキュー調整可能な光学ヘッド装置は、その構成上、部品点数削減の障害となると共に、温度や湿度等の環境変化でスキュー調整がズレ易いという問題があった。
【０００７】
【課題を解決するための手段】
本発明にかかる光学ヘッド装置は、対物レンズが装着されるレンズホルダーをレーザービームの光路となるハウジングの開口上に複数の連結部を介してハウジングに一体的に形成し、該レンズホルダーと別体に駆動コイルを巻回するコイルホルダーを設け、そのコイルホルダーをレンズホルダーに合体させてアクチュエータの可動部を組み立て、そのアクチュエータの可動部が弾性支持部材を介して前記ハウジングに支持された状態で前記複数の連結部を切断して前記レンズホルダーをハウジングから切り離して前記アクチュエータの可動部を前記ハウジングに弾性的に支持する構成にしている。レンズホルダーをハウジングに一体成形することによる寸法精度の向上によりレンズホルダーをハウジングに対して適正位置に配置しておき、このレンズホルダーの位置が変位されない状態でアクチュエータの可動部を組み立て、その後、レンズホルダーをハウジングから切り離すことによりアクチュエータの可動部がハウジングに対して適正位置が保持されて設置されるようにしている。
【０００８】
【実施例】
図１は本発明の一実施例に係る光学ヘッド装置の展開状態を示す展開斜視図であり、図２は図１の光学ヘッド装置におけるアクチュエータの可動部の組立完了状態を示す斜視図である。
【０００９】
１は発光素子である半導体レーザー（図示せず）及び受光素子である光検出器（図示せず）が組み込まれる合成樹脂製のハウジングであり、該ハウジング１には半導体レーザーから出射されるレーザービームを対物レンズ２に導く光学系及び信号記録媒体により反射されて対物レンズ２に戻されるレーザービームを光検出器に導く光学系が形成される。
【００１０】
３は対物レンズ２が装着されるレンズホルダーであり、該レンズホルダー３はレーザービームの光路となるハウジング１の開口４上に複数の連結部５を介してハウジング１に一体的に形成されている。
【００１１】
６はフォーカシングコイル７及びトラッキングコイル８の各駆動コイルが装着されるコイルホルダー、９はレンズホルダー３をコイルホルダー６を介して弾性的に支持する４本の支持ワイヤー、１０は４本の支持ワイヤー９の各一方の端部がハンダ付けされるランドを有するプリント配線基板から成る取付板、１１はハウジング１に一体的に形成され、取付板１０が固定されると共に、各支持ワイヤー９を制振させるダンプ剤が充填される空間部１２が形成されている制振補助部材である。
【００１２】
次に、このような構成部品により成る光学ヘッド装置の組立方法を説明する。
【００１３】
まず、コイルホルダー６にフォーカシングコイル７及びトラッキングコイル８の各駆動コイルを自動機を用いて巻回しておき、そのコイルホルダー６をレンズホルダー３に接着して合体させ、間接的にレンズホルダー３にフォーカシングコイル７及びトラッキングコイル８の各駆動コイルを装着する。
【００１４】
コイルホルダー６をレンズホルダー３に合体させる場合、レンズホルダー３に設けられた各溝部１３ａ、１３ｂ、１３ｃにコイルホルダー６に設けられた各突部１４ａ、１４ｂ、１４ｃがそれぞれ挿入されてコイルホルダー６の位置合わせが行われる。
【００１５】
一方、取付板１０は制振補助部材１１にネジ１５を用いて固定される。
【００１６】
レンズホルダー３にコイルホルダー６が合体され、取付板１０が制振補助部材１１に固定された状態で、各支持ワイヤー９の両方の各端部は取付板１０に形成された各孔１０ａと、駆動コイルの各端末が絡げられて処理されるコイルホルダー６の各突端部分６ａにそれぞれに形成された各孔とにそれぞれ挿入され、各支持ワイヤー９のそれぞれの両端がそれぞれコイルホルダー６の各突片部分６ａで駆動コイルの端末、及び取付板１０の所定のランドにハンダ付けされて接続固定される。
【００１７】
この場合、取付板１０の各孔１０ａは各支持ワイヤー９の径に対して余裕を持たせて形成されており、挿入し易さに貢献すると共に、各支持ワイヤー９に撓みによる応力を生じさせないようになっている。その為、各支持ワイヤー９に生じる応力がほぼ解放された状態で、各支持ワイヤー９の各一方の端部が取付板１０にハンダ付け固定されることになる。
【００１８】
また、各支持ワイヤー９は制振補助部材１１の各空間部１２に配置されるので、後に各空間部１２に充填されるダンプ剤により制振される。
【００１９】
その後、コイルホルダー６が合体されたレンズホルダー３に対物レンズ２を接着により固定する。この場合、対物レンズ２はレンズホルダー３に形成される凹部により位置決めされて傾かずに正確な姿勢でレンズホルダー３に設置される。
【００２０】
このようにしてアクチュエータの可動部の組み立てが完了された後、各連結部５を切断してレンズホルダー３をハウジング１から切り離す。これによりアクチュエータの可動部をハウジング１に弾性的に支持される状態とし、アクチュエータの可動部はディスクの信号面に光ビームを合焦させるフォーカス制御及びディスクの信号トラックに光ビームを追従させるトラッキング制御が行えるように変位可能に支持される状態となる。
【００２１】
ところで、レンズホルダー３をハウジング１から切り離す状態において、各支持ワイヤー９の径に対して取付板１０の各孔１０ａに持たせた余裕により、各支持ワイヤー９に生じる応力はほぼ解放された状態で取付板１０にハンダ付けされるので、レンズホルダー３をハウジング１から切り離した際に、アクチュエータの可動部は自重により少許垂れ下がるが、その際に対物レンズ２の光軸がタンジェンシャル方向及びラジアル方向のスキュー調整を必要とするような変位が発生しない。そして、レンズホルダー３はハウジング１に一体成形することによる寸法精度により切り離す前にハウジング１に対してタンジェンシャル方向及びラジアル方向のスキュー調整を必要としない正しい位置に配置されている。
【００２２】
したがって、レンズホルダー３を切り離した後のアクチュエータの可動部の組立完了状態において、アクチュエータの可動部はスキュー調整を必要としない精度でハウジング１に対して正しい位置に設置されることになる。
【００２３】
尚、アクチュエータの磁気回路に関しては、要旨と直接関係しないので、その説明を省略しているが、前記磁気回路は支持ワイヤー９の軸方向で互いに同極性を対向させた一対の永久磁石をコイルホルダー６を挟むようにそれぞれヨークと共にハウジング１の上面に設置されて構成される。これにより前記磁気回路で形成される磁界が、フォーカシングコイル７及びトラッキングコイル８の各駆動コイルに供給される駆動電流に有効に作用するようになっている。
【００２４】
また、前述の実施例においては、取付板１０を制振補助部材１１に固定するのにネジ１５を使用したが、ネジを使用せず接着剤により取付板１０を制振補助部材１１に固定しても良い。
【００２５】
但し、実施例に示す如くネジ１５を使用する場合には、そのネジ１５を緩めて各支持ワイヤー９に掛かる応力を解放することも可能であり、また、前記ネジ止めを取付板１０の中央の位置とすることによりネジ止め位置を中心に取付板１０を回動調整した従来どおりの調整によりラジアル方向のスキュー調整を更に追い込むことも可能である。
【００２６】
【発明の効果】
以上述べた如く、本発明に依れば、レンズホルダーをハウジングに一体成形することによる寸法精度の向上によりレンズホルダーをハウジングに対してスキュー調整を必要としない適正位置に配置しておき、アクチュエータの可動部の組み立てが完了された後にレンズホルダーをハウジングから切り離すようにしているので、作業性を良好にしてハウジングに対してアクチュエータの可動部を適正位置に保持して設置することが可能であり、特に、レンズホルダーと別体に駆動コイルが巻回されるコイルホルダーを設けているので、レンズホルダーをハウジングに一体的に形成する構成とし、レンズホルダーに装着される対物レンズとハウジングに組み込まれる光学部品との位置関係を固定した上で、レンズホルダーに駆動コイルを装着するのに自動機を用いて駆動コイルを巻回する自動巻きを採用することが出来、また、レーザービームの光路となるハウジングの開口上にレンズホルダーをハウジングに一体的に形成し、このレンズホルダーと別体にコイルホルダーを設けているので、レンズホルダーに装着される対物レンズとハウジングの開口との位置関係が固定されると共に、レンズホルダーを小型化することが可能となり、そのレンズホルダーの下方に位置するハウジングの開口を立上げミラーやレンズ等の光学部品を配置するのに適当な空間とし易いという利点を有する。
【図面の簡単な説明】
【図１】本発明の一実施例に係る光学ヘッド装置の展開状態を示す展開斜視図である。
【図２】図１の光学ヘッド装置におけるアクチュエータの可動部の組立完了状態を示す斜視図である。
【符号の説明】
１          ハウジング
２          対物レンズ
３          レンズホルダー
５          結合部
６          コイルホルダー
９          支持ワイヤー（弾性支持部材）
１０          取付板
１１          制振補助部材
【図１】
0003831603.tif 000002
【図２】
0003831603.tif 000003